(57)【要約】【課題】ロックアームを揺動可能に配置することができ、ハウジングを小型化することができるコネクタを提供する。【解決手段】相手ハウジング３が嵌合可能なハウジング５と、このハウジング５に揺動可能に設けられ一端側に相手ハウジング３の被係止部７に係止可能な係止部９が設けられ他端側に押圧による揺動操作により係止部９を被係止部７から係止解除させる操作部１１が設けられたロックアーム１３とを備えたコネクタ１において、ロックアーム１３が、揺動方向と交差する方向の両側面側に設けられロックアーム１３をハウジング５に撓み可能に接合させる接合部１５と、ハウジング５に当接してロックアーム１３をハウジング５に揺動可能に支持する支点部１７とを有した。【選択図】図３
2015103372.tif 000002
【特許請求の範囲】
【請求項１】
相手ハウジングが嵌合可能なハウジングと、このハウジングに揺動可能に設けられ一端側に前記相手ハウジングの被係止部に係止可能な係止部が設けられ他端側に押圧による揺動操作により前記係止部を前記被係止部から係止解除させる操作部が設けられたロックアームとを備えたコネクタであって、
前記ロックアームは、揺動方向と交差する方向の両側面側に設けられ前記ロックアームを前記ハウジングに撓み可能に接合させる接合部と、前記ハウジングに当接して前記ロックアームを前記ハウジングに揺動可能に支持する支点部とを有することを特徴とするコネクタ。
【請求項２】
請求項１記載のコネクタであって、
前記接合部は、前記操作部の揺動方向と交差する方向の両側面側に設けられ、前記支点部は、前記ロックアームの中央部と前記接合部との間に設けられていることを特徴とするコネクタ。
【発明の詳細な説明】
【技術分野】
【０００１】
本発明は、コネクタに関する。
【背景技術】
【０００２】
従来、コネクタとしては、相手ハウジングが嵌合可能なハウジングと、このハウジングに揺動可能に設けられ一端側に相手ハウジングの被係止部としてのロック爪に係止可能な係止部としてのロック本体が設けられ他端側に押圧による揺動操作によりロック本体をロック爪から係止解除させる操作部としてのアーム部が設けられたロックアームとを備えたものが知られている（例えば、特許文献１参照）。
【０００３】
このコネクタでは、ロックアームのロック爪が設けられた反対側の端部において、ロックアームの揺動方向と同方向である下面がハウジングの上面に連結される支点部となっており、この支点部から上方へ立ち上がりアーム部が前方に向けて延びることによって、支点部を支点としてロックアームがハウジングに揺動可能に設けられている。
【０００４】
このロックアームは、相手ハウジングとハウジングとが嵌合する際に、ロック本体とロック爪とが当接することによって下方に向けて撓まされ、相手ハウジングとハウジングとが嵌合した際に、ロック本体がロック爪を乗り越え上方に向けて復元することにより、六本体をロック爪に係止させて相手ハウジングとハウジングとの嵌合状態を保持する。
【０００５】
一方、ロックアームは、相手ハウジングとハウジングとの嵌合を解除する際に、操作者が指などでアーム部を下方に向けて押圧することによって下方に向けて撓まされ、ロック本体とロック爪との係止を解除させることにより、相手ハウジングとハウジングとの嵌合を解除することができる。
【先行技術文献】
【特許文献】
【０００６】
【特許文献１】特開２０１１−１８５１９号公報
【発明の概要】
【発明が解決しようとする課題】
【０００７】
しかしながら、上記特許文献１のようなコネクタでは、ロックアームが揺動方向と同方向であるハウジングの上面の支点部から上方に向けて立ち上げられているので、ハウジングにロックアームが揺動するための揺動スペースだけでなく、ロックアームとハウジングとの接合部である支点部を設けるための配置スペースをロックアームの揺動方向に確保しなければならず、ハウジングが大型化していた。
【０００８】
そこで、この発明は、ロックアームを揺動可能に配置することができ、ハウジングを小型化することができるコネクタの提供を目的としている。
【課題を解決するための手段】
【０００９】
請求項１記載の発明は、相手ハウジングが嵌合可能なハウジングと、このハウジングに揺動可能に設けられ一端側に前記相手ハウジングの被係止部に係止可能な係止部が設けられ他端側に押圧による揺動操作により前記係止部を前記被係止部から係止解除させる操作部が設けられたロックアームとを備えたコネクタであって、前記ロックアームは、揺動方向と交差する方向の両側面側に設けられ前記ロックアームを前記ハウジングに撓み可能に接合させる接合部と、前記ハウジングに当接して前記ロックアームを前記ハウジングに揺動可能に支持する支点部とを有することを特徴とする。
【００１０】
このコネクタでは、ロックアームが、揺動方向と交差する方向の両側面側に設けられロックアームをハウジングに撓み可能に接合させる接合部を有するので、ロックアームの揺動スペースと、接合部の配置スペースとがロックアームの揺動方向に並ぶことがなく、ハウジングをロックアームの揺動方向に小型化することができる。
【００１１】
また、ロックアームは、ハウジングに当接してロックアームをハウジングに揺動可能に支持する支点部を有するので、接合部を支点部とすることがなく、支点部がロックアームを揺動可能とする支点であればよく、支点部を小型化することができる。
【００１２】
従って、このようなコネクタでは、ロックアームを揺動可能に配置することができ、ハウジングを小型化することができる。
【００１３】
請求項２記載の発明は、請求項１記載のコネクタであって、前記接合部は、前記操作部の揺動方向と交差する方向の両側面側に設けられ、前記支点部は、前記ロックアームの中央部と前記接合部との間に設けられていることを特徴とする。
【００１４】
このコネクタでは、接合部が、操作部の揺動方向と交差する方向の両側面側に設けられ、支点部が、ロックアームの中央部と接合部との間に設けられているので、接合部によるロックアームの撓み量を増加させつつ、支点部が操作部の押圧を阻害することなく、支点部によって操作部の押圧操作による係止部側の可動量を操作部側の可動量より大きくすることができる。
【発明の効果】
【００１５】
本発明によれば、ロックアームを揺動可能に配置することができ、ハウジングを小型化することができるコネクタを提供することができるという効果を奏する。
【図面の簡単な説明】
【００１６】
【図１】本発明の実施の形態に係るコネクタのハウジングの一部を断面とした斜視図である。
【図２】（ａ）は本発明の実施の形態に係るコネクタの相手ハウジングとハウジングとが嵌合する前の斜視図である。（ｂ）は図２（ａ）の状態におけるコネクタの断面図である。
【図３】（ａ）は本発明の実施の形態に係るコネクタの相手ハウジングとハウジングとが嵌合するときの斜視図である。（ｂ）は図３（ａ）の状態におけるコネクタの断面図である。
【図４】（ａ）は本発明の実施の形態に係るコネクタの相手ハウジングとハウジングとが嵌合したときの斜視図である。（ｂ）は図４（ａ）の状態におけるコネクタの断面図である。
【発明を実施するための形態】
【００１７】
図１〜図４を用いて本発明の実施の形態に係るコネクタについて説明する。
【００１８】
本実施の形態に係るコネクタ１は、相手ハウジング３が嵌合可能なハウジング５と、このハウジング５に揺動可能に設けられ一端側に相手ハウジング３の被係止部７に係止可能な係止部９が設けられ他端側に押圧による揺動操作により係止部９を被係止部７から係止解除させる操作部１１が設けられたロックアーム１３とを備えている。
【００１９】
そして、ロックアーム１３は、揺動方向と交差する方向の両側面側に設けられロックアーム１３をハウジング５に撓み可能に接合させる接合部１５と、ハウジング５に当接してロックアーム１３をハウジング５に揺動可能に支持する支点部１７とを有する。
【００２０】
また、接合部１５は、操作部１１の揺動方向と交差する方向の両側面側に設けられ、支点部１７は、ロックアーム１３の中央部と接合部１５との間に設けられている。
【００２１】
図１〜図４に示すように、相手ハウジング３は、合成樹脂などの絶縁性材料からなり、一端側が開口された筐体状に形成されている。この相手ハウジング３の内部には、相手端子１９が収容されている。
【００２２】
相手端子１９は、導電性材料からなり、複数のタブ状の接続部を有している。この相手端子１９は、接続部の基端側が相手ハウジング３にインサート成形されて一体に固定される、或いは接続部の基端側が相手ハウジング３の底部に圧入によって一体に固定されるなど、接続部の基端側が相手ハウジング３と一体に固定され、複数のタブ状の接続部が相手ハウジング３内に配置される。
【００２３】
なお、相手端子１９は、相手ハウジング３が機器などに直接設けられた一部材である場合には機器などに電気的に接続され、相手ハウジング３が回路基板などに搭載される場合には回路基板などに電気的に接続される。
【００２４】
このような相手端子１９を収容する相手ハウジング３には、両側面にハウジング５の両側面に形成されたガイド溝２１，２１に係合可能なガイドリブ２３，２３が突設されると共に、上面に被係止部７が突設されている。
【００２５】
被係止部７は、ハウジング５との嵌合方向の前側が上り傾斜で形成された傾斜面となっており、ハウジング５との嵌合方向の後側が上面とほぼ垂直に形成された係止面となっている。この被係止部７が設けられた相手ハウジング３は、ハウジング５と嵌合可能となっている。
【００２６】
ハウジング５は、合成樹脂などの絶縁性材料からなり、一端側が相手ハウジング３を挿入可能に開口された筐体状に形成され、内部に端子収容室２５が設けられると共に、上面側にロックアーム１３が揺動可能に設けられている。
【００２７】
端子収容室２５は、ハウジング５の中央部にハウジング５の長さ方向に沿って複数設けられ、ハウジング５の他端側に設けられた開口からそれぞれ相手端子１９の接続部に接続可能な箱状の接続部を有する雌型端子からなる複数の端子２７が収容される。
【００２８】
端子２７は、導電性材料からなり、電源や機器などに接続された電線２９の端末部に圧着部が圧着されて電気的に接続されている。この端子２７は、ハウジング５の他端側に設けられた開口から端子収容室２５内に挿入され、端子収容室２５内に撓み可能に設けられた係止ランスが係止することによって端子収容室２５内からの抜け止めがなされる。
【００２９】
なお、電線２９の外周には端子収容室２５の内壁面と密着して端子収容室２５内を防水するシール部材が装着されている共に、端子収容室２５の外周には相手ハウジング３の内壁面と密着してハウジング５内を防水するシール部材が装着されている。
【００３０】
このような端子２７は、相手ハウジング３とハウジング５とが嵌合することにより、端子収容室２５の開口から挿入される相手端子１９の接続部が箱状の接続部内に挿入され、相手端子１９と電気的に接続される。この端子２７と相手端子１９との接続状態は、相手ハウジング３とハウジング５との嵌合状態を保持するロックアーム１３の係止部９と相手ハウジング３の被係止部７との係止によって保持される。
【００３１】
ロックアーム１３は、ハウジング５の上方にハウジング５の長さ方向に沿ってハウジング５の高さ方向に揺動可能に配置され、一端側が枠状に形成された係止部９となっており、他端側が直方体状に形成された操作部１１となっている。
【００３２】
係止部９は、ハウジング５の長さ方向に沿って設けられた一対の接合板部３１，３１の一端側と、この一対の接合板部３１，３１間に配置されハウジング５の長さ方向に沿って設けられた一対の支持部３３，３３の一端側とを連結する連結部となっており、ロックアーム１３の一端側を枠状に形成する。
【００３３】
この係止部９は、下側において、相手ハウジング３との嵌合方向の前側が下り傾斜で形成された傾斜面となっており、相手ハウジング３との嵌合方向の後側が下面とほぼ垂直に形成された係止面となっている。
【００３４】
このような係止部９は、相手ハウジング３とハウジング５とが嵌合する際に、傾斜面が被係止部７の傾斜面と当接することによってロックアーム１３を上方に向けて揺動させ、相手ハウジング３とハウジング５とが嵌合した際に、被係止部７を乗り越えロックアーム１３が下方に向けて復元するように揺動することにより、係止面が被係止部７の係止面を係止して相手ハウジング３とハウジング５との嵌合状態を保持する。
【００３５】
なお、相手ハウジング３とハウジング５との嵌合状態では、相手ハウジング３の被係止部７がロックアーム１３の一対の支持部３３，３３間に配置され、被係止部７がロックアーム１３の下方への揺動を阻害することがない。
【００３６】
操作部１１は、一対の接合板部３１，３１の他端側で一対の接合板部３１，３１間に配置され、一対の支持部３３，３３の他端側を連結する連結部となっており、ロックアーム１３の他端側を直方体状に形成する。
【００３７】
この操作部１１は、上面が操作者の指などによって下方に向けて押圧されることにより、ロックアーム１３の係止部９側を上方に向けて揺動させ、係止部９と被係止部７との係止を解除することによって、相手ハウジング３とハウジング５との嵌合を解除することができる。
【００３８】
このように係止部９と被係止部７との当接や操作部１１の操作によって揺動されるロックアーム１３は、揺動方向と交差する方向の両側面側に設けられロックアーム１３をハウジング５に撓み可能に接合させる接合部１５と、ハウジング５に当接してロックアーム１３をハウジング５に揺動可能に支持する支点部１７とによって、ハウジング５に揺動可能に配置されている。
【００３９】
接合部１５は、一対の接合板部３１，３１の他端に設けられ、ハウジング５の上面から連続する一部材で上方に向けて立ち上がるように形成され、一対の接合板部３１，３１がハウジング５の長さ方向に向けて延設され、ロックアーム１３をハウジング５に撓み可能に接合する。
【００４０】
この接合部１５は、ロックアーム１３の揺動方向と交差する方向である操作部１１の両側面側に位置されている。すなわち、接合部１５をハウジング５の上面から上方に向けて立ち上げるための配置スペースと、ロックアーム１３の揺動スペースとがハウジング５の幅方向に並ぶことになる。
【００４１】
このため、接合部１５をハウジング５の上面から上方に向けて立ち上がるように形成しても、この接合部１５の配置スペースと、ロックアーム１３の揺動スペースとがハウジング５の高さ方向に並ぶことがなく、ハウジング５を高さ方向に小型化することができる。加えて、接合部１５を操作部１１の両側面側に位置させることにより、一対の接合板部３１，３１の長さが増加され、ロックアーム１３の撓み量を増加させることができる。
【００４２】
支点部１７は、一対の支持部３３，３３の下面から下方に向けて突設された突起部となっている。この支点部１７は、ハウジング５の上面と当接し、係止部９と被係止部７との当接や操作部１１の操作によって、ロックアーム１３を揺動可能に支持する支点となっている。
【００４３】
このような支点部１７は、ロックアーム１３の長さ方向において、ロックアーム１３の中央部と接合部１５との間に設けられている。詳細には、支点部１７は、操作部１１の端部にかからない寸前の位置の真下に設けられている。
【００４４】
このように支点部１７をロックアーム１３の中央部と接合部１５との間において、操作部１１に近接して配置させることにより、支点部１７が操作部１１の押圧操作を阻害することがなく、操作部１１の押圧操作による支点部１７を支点とするロックアーム１３の揺動において、係止部９側の可動量を操作部１１側の可動量より大きくすることができる。このため、操作部１１側の揺動スペースを小さくすることができ、ハウジング５をより小型化することができる。加えて、操作部１１の押圧操作力を低減することもできる。
【００４５】
このようなコネクタ１では、ロックアーム１３が、揺動方向と交差する方向の両側面側に設けられロックアーム１３をハウジング５に撓み可能に接合させる接合部１５を有するので、ロックアーム１３の揺動スペースと、接合部１５の配置スペースとがロックアーム１３の揺動方向に並ぶことがなく、ハウジング５をロックアーム１３の揺動方向に小型化することができる。
【００４６】
また、ロックアーム１３は、ハウジング５に当接してロックアーム１３をハウジング５に揺動可能に支持する支点部１７を有するので、接合部１５を支点部１７とすることがなく、支点部１７がロックアーム１３を揺動可能とする支点であればよく、支点部１７を小型化することができる。
【００４７】
従って、このようなコネクタ１では、ロックアーム１３を揺動可能に配置することができ、ハウジング５を小型化することができる。
【００４８】
また、接合部１５は、操作部１１の揺動方向と交差する方向の両側面側に設けられ、支点部１７は、ロックアーム１３の中央部と接合部１５との間に設けられているので、接合部１５によるロックアーム１３の撓み量を増加させつつ、支点部１７が操作部１１の押圧を阻害することなく、支点部１７によって操作部１１の押圧操作による係止部９側の可動量を操作部１１側の可動量より大きくすることができる。
【００４９】
なお、本発明の実施の形態に係るコネクタでは、ロックアームの揺動方向がハウジングの高さ方向となっているが、これに限らず、ロックアームの揺動方向をハウジングの幅方向としてもよい。
【符号の説明】
【００５０】
１…コネクタ
３…相手ハウジング
５…ハウジング
７…被係止部
９…係止部
１１…操作部
１３…ロックアーム
１５…接合部
１７…支点部
【図１】
2015103372.tif 000003
【図２】
2015103372.tif 000004
【図３】
2015103372.tif 000005
【図４】
2015103372.tif 000006